(57)【要約】【課題】着信した電子メッセージに関する通知における快適性を改善する。【解決手段】送信される電子メッセージまたは送信された電子メッセージに指示を割り当てる割り当て手段を有し、指示により送信された電子メッセージに対する応答メッセージを受信した際に通知メッセージの送信が実施可能であり、着信した電子メッセージを検査する検査装置を有し、検査により着信した電子メッセージは事前に送信された指示が与えられている電子メッセージに対する応答メッセージであるか否かを確認し、検査の結果が肯定である場合に通知メッセージを送信する。【選択図】図１
2007228591.tif 000002
【特許請求の範囲】
【請求項１】
電子メッセージ（Ｎ，Ａ）を送信する送信装置（ＳＥ）と、電子メール（Ｎ，Ａ）を受信する受信装置（ＥＥ）と、電子メッセージ（Ｎ）の受信に関する通知メッセージ（ＢＮ１，ＢＮ２，ＢＮ３）を送信する通知装置（ＢＥ）とを備えた、送信および着信した電子メッセージを処理するメッセージサーバ（ＮＳ）において、
−送信される電子メッセージ（Ｎ）または送信された電子メッセージ（Ｎ）に指示を割り当てる割り当て手段（ＺＭ）を有し、前記指示により前記送信された電子メッセージ（Ｎ）に対する応答メッセージを受信した際に前記通知メッセージ（ＢＮ１，ＢＮ２，ＢＮ３）の送信が実施可能であり、
−着信した前記電子メッセージ（Ａ）を検査する検査装置を有し、前記検査により着信した前記電子メッセージ（Ａ）は事前に送信された指示が与えられている電子メッセージ（Ｎ）に対する応答メッセージであるか否かを確認し、
−前記検査の結果が肯定である場合に前記通知メッセージ（ＢＮ１，ＢＮ２，ＢＮ３）を送信することを特徴とする、メッセージサーバ（ＮＳ）。
【請求項２】
前記電子メッセージ（Ｎ，Ａ）はＥメールメッセージである、請求項１記載のメッセージサーバ（ＮＳ）。
【請求項３】
前記検査装置は、送信された電子メッセージ（Ｎ）の件名の少なくとも一部を受信した電子メッセージ（Ａ）の件名の少なくとも一部と比較する、請求項１または２記載のメッセージサーバ（ＮＳ）。
【請求項４】
前記検査装置は、送信された電子メッセージ（Ｎ）の件名の少なくとも１つのアドレスを受信した電子メッセージ（Ａ）の送信側情報と比較する、請求項１から３までのいずれか１項記載のメッセージサーバ（ＮＳ）。
【請求項５】
前記検査装置は、送信された電子メッセージ（Ｎ）のテキストボディの少なくとも一部を受信した電子メッセージ（Ａ）のテキストボディの少なくとも一部と比較する、請求項１から４までのいずれか１項記載のメッセージサーバ（ＮＳ）。
【請求項６】
送信された電子メッセージ（Ｎ）に割り当てられた前記指示は、通知のための通知の種類および／または目的通信アドレスに関する情報を包含する、請求項１から５までのいずれか１項記載のメッセージサーバ（ＮＳ）。
【請求項７】
前記通知メッセージ（ＢＮ２，ＢＮ３）は電子的なリアルタイムメッセージである、請求項１から６までのいずれか１項記載のメッセージサーバ（ＮＳ）。
【請求項８】
前記通知装置（ＢＥ）は通知メッセージ（ＢＮ３）としてユーザへの自動的なテレフォンコールを実施する、請求項１から７までのいずれか１項記載のメッセージサーバ（ＮＳ）。
【請求項９】
前記通知装置（ＢＥ）は通知メッセージ（ＢＮ１，ＢＮ２）としてテキストベースのメッセージを形成して送信する、請求項１から８までのいずれか１項記載のメッセージサーバ（ＮＳ）。
【請求項１０】
前記テキストベースのメッセージはＳＭＳメッセージまたはＥメールメッセージである、請求項９記載のメッセージサーバ（ＮＳ）。
【請求項１１】
前記通知メッセージ（ＢＮ１，ＢＮ２，ＢＮ３）は前記応答メッセージの件名および／またはテキストボディの少なくとも一部を包含する、請求項１から１０までのいずれか１項記載のメッセージサーバ（ＮＳ）。
【請求項１２】
前記割り当て手段（ＺＭ）は、送信されるメッセージ（Ｎ）の送信前、送信中および／または送信後に前記指示の割り当ておよび／または変更を実施する、請求項１から１１までのいずれか１項記載のメッセージサーバ（ＮＳ）。
【請求項１３】
Ｅメールサーバまたはユニファイド・メッセージング・システムである、請求項１から１２までのいずれか１項記載のメッセージサーバ（ＮＳ）。
【請求項１４】
電子メッセージ（Ａ）の着信時に通知メッセージ（ＢＮ１，ＢＮ２，ＢＮ３）をユーザに送信する、ユーザに電子メール（Ａ）の着信を通知する方法において、
−第１のステップにおいて、電子メッセージ（Ｎ）を作成し、
−第２のステップにおいて、作成した前記電子メッセージ（Ｎ）に将来着信する応答メッセージに関して通知を行うための指示を割り当て、
−第３のステップにおいて、前記電子メッセージ（Ｎ）を送信し、
−第４のステップにおいて、別の電子メッセージ（Ａ）を受信し、
−第５のステップにおいて、受信した前記別の電子メッセージ（Ａ）に関して、該別の電子メッセージ（Ａ）は指示が与えられている送信された前記メッセージ（Ｎ）に対する応答メッセージであるか否かを検査し、
−第６のステップにおいて、前記第５のステップの検査の結果が肯定である場合に、前記指示に対応する通知メッセージ（ＢＮ１，ＢＮ２，ＢＮ３）を送信することを特徴とする、ユーザに電子メール（Ａ）の着信を通知する方法。
【発明の詳細な説明】
【技術分野】
【０００１】
本発明は、送信および着信した電子メッセージを処理するメッセージサーバおよびユーザに電子メールの着信を通知する方法に関する。
【背景技術】
【０００２】
電子的な通信に関しては、それぞれの受信器に割り当てられているメモリ内にファイルないし一時的に記憶され、またこの受信器によってそれぞれのメモリへのアクセスの際に呼び出される媒体およびメッセージタイプが頻繁に使用されている。つまり通常の場合、例えばＥメールサービスのユーザは電子通信機器（ＰＣ、ＰＤＡ、携帯電話など）を用いて時折相応のメッセージサーバ（Ｅメールサーバ、ユニファイド・メッセージング・システムなど）とのコネクションを確立し、新しい電子メッセージが着信しているか、また一時的に記憶されているかを確認する。このことはＥメールメッセージ以外にも、相応のテレファックスサーバまたはユニファイド・メッセージング・サーバに一時的に記憶されるテレファックスメッセージおよび他の電子メッセージについても同様に当てはまる。
【０００３】
場合によって新しいメッセージがあるか否かをチェックするために、メッセージサーバに定期的にアクセスすることは時に煩わしく、また時間が掛かるものである。このことはユーザが急を要してメッセージの到着を待機しており、その結果ユーザは非常に短い間隔で、したがって頻繁にチェックを行うことを余儀なくされる場合には一層当てはまる。
【０００４】
この問題を解決するために、例えばユニファイド・メッセージング・システムに関しては、相応のユーザ（電子メッセージの受信者）に対して、そのユーザへの新たなメッセージがあると即座にその都度自動的な通知を行うことが公知である。このためにその種のサーバは例えば、ユーザによって事前に入力された電話番号に自動的にテレフォンコールを実行する装置を有する。この場合ユーザには例えば、人工的に形成された音声出力を用いて新たな電子メッセージの着信に関する情報が提供される。この方法は文献においてはしばしば「ユーザ・アウトコール」とも称される。
【０００５】
「ユーザ・アウトコール」の前述の方法と同様に、公知のメッセージサーバは、相応の通知をショートメッセージ（ＳＭＳメッセージ；ＳＭＳ＝Ｓｈｏｒｔ  Ｍｅｓｓａｇｅ  Ｓｅｒｖｉｃｅ）を用いて移動無線網を介して実施することができる。
【０００６】
通知のための公知の方法は既に非常に良好に、着信したメッセージに関する情報をユーザに確実且つ即時的に提供することができるが、殊に、ユーザに非常の多くの電子メッセージが送られてきており、それに応じて多数の通知メッセージも送信される場合には、ユーザがこれを煩わしいと感じることが欠点として判明している。
【発明の開示】
【発明が解決しようとする課題】
【０００７】
したがって本発明の課題は、着信した電子メッセージに関する通知における快適性を改善することである。
【課題を解決するための手段】
【０００８】
この課題は、送信される電子メッセージまたは送信された電子メッセージに指示を割り当てる割り当て手段を有し、指示により送信された電子メッセージに対する応答メッセージを受信した際に通知メッセージの送信が実施可能であり、着信した電子メッセージを検査する検査装置を有し、検査により着信した電子メッセージは事前に送信された指示が与えられている電子メッセージに対する応答メッセージであるか否かを確認し、検査の結果が肯定である場合に通知メッセージを送信するメッセージサーバにより解決される。その種のメッセージサーバを使用することにより、通知メッセージの送信を、着信したメッセージが選択して送信されたメッセージに対する応答メッセージである場合に制限することができる。したがって送信されるメッセージないし送信されたメッセージに関して、例えば重要なこの電子メッセージに対して応答が到着した場合に通知メッセージが送信されるか否かを確認することができる。その種の選択性の通知によって、重要な応答メッセージを受け損ねることなく、着信したあらゆる電子メッセージに関してその都度情報を通知する必要はなくなる。
【０００９】
さらにこの課題は、第１のステップにおいて、電子メッセージを作成し、第２のステップにおいて、作成した電子メッセージに将来着信する応答メッセージに関して通知を行うための指示を割り当て、第３のステップにおいて、電子メッセージを送信し、第４のステップにおいて、別の電子メッセージを受信し、第５のステップにおいて、受信した別の電子メッセージに関して、別の電子メッセージは指示が与えられている送信されたメッセージに対する応答メッセージであるか否かを検査し、第６のステップにおいて、第５のステップの検査の結果が肯定である場合に、指示に対応する通知メッセージを送信する方法により解決される。この際、例えば第２のステップの前に第３のステップを実施することもできる。この方法を使用することによって、送信された各電子メッセージに関して、この送信された電子メッセージ、ないし送信されるメッセージに対する応答メッセージを着信した際に通知を行うべきか否かを規定することができる。したがって、事前に送信された、相応の特徴を有する（例えば重要な）電子メッセージに対する応答メッセージを受け損ねること無く送信すべき通知メッセージの数が低減される。
【発明を実施するための最良の形態】
【００１０】
本発明によるメッセージサーバの有利な実施形態は従属請求項に記載されている。このメッセージサーバの実施形態に関して説明する特徴および利点は本発明による方法についても該当する。
【００１１】
電子メッセージがＥメールメッセージである場合には殊に確実に、着信した電子メッセージがこのＥメールメッセージに対する応答メッセージであるか否かを確認することができる。着信した電子メッセージが事前に送信された電子メッセージに対する応答メッセージであるか否かを確認するために、有利には検査装置が送信された電子メッセージの件名の少なくとも一部を応答メッセージの件名の少なくとも一部と比較するために構成されている。このことは、送信されたＥメールメッセージに対する応答メッセージが頻繁に同じ件名を有し、場合によっては「応答」または「Ｒｅ」のような注に拡張されることが分かっているので有利である。ユニファイド・メッセージング・システムにおけるテレファックスメッセージは頻繁に件名と共に記憶ないし管理され、この件名はメッセージの送信の場合には受信者の電話番号に関連し、またテレファックスメッセージの着信の場合には送信者の電話番号に関連する。これらの電話番号は応答メッセージにおいてはしばしば送信されたメッセージと同一のものである。
【００１２】
択一的または付加的に、検査装置が有利には、送信された電子メッセージの少なくとも１つのアドレスと受信した電子メッセージの送信側情報とを比較するために構成されており、これによって受信した電子メッセージが応答メッセージであるか否かも同様に推測することができる。
【００１３】
着信した電子メッセージが応答メッセージであるか否かを検査するための別の有利な方法を、検査装置が送信された電子メッセージのテキストボディの少なくとも一部と受信した電子メッセージのテキストボディの少なくとも一部を比較するために構成されている場合に使用することができる。ここでＥメールメッセージの例においては、Ｅメールメッセージに対する応答メッセージが送信されたオリジナルのテキストのコピーを含んでいる場合が多いということを利用する。さらには電子メッセージに一義的な識別番号が設けられていることが多く、この識別番号は通常の場合送信を行ったメッセージサーバによっていわゆる「ヘッダ」（頻繁にインターネットヘッダとも称される）に挿入される。これらの識別番号が応答をなす際に応答メッセージに引き継がれる場合、識別番号はテキストボディの一部であり、この識別番号は確かに一般的には表示はされないが、検査にとっては非常に良好な判定基準となる。
【００１４】
有利には前述の全ての比較方法を相互に組み合わせることができ、個々の検査ステップの結果を積算することができる。その和が事前に定められた値を上回ると、応答メッセージの存在が想定される。
【００１５】
通知の種類（通知媒体、通知のための通信アドレス）を、送信された電子メッセージに割り当てられた指示が通知のための通知の種類および／または目的通信アドレスに関する情報を包含することによって、送信された電子メッセージまたはこの電子メッセージに対応する応答メッセージに対してそれぞれ別個に設定することができる。
【００１６】
通知メッセージとして電子的なリアルタイムメッセージ、例えばテレフォンコールまたはＳＭＳメッセージが使用される場合には有利である。これによってユーザへの即時的な通知が保証されている。
【００１７】
通知装置が通知メッセージとしてのユーザへの自動的なテレフォンコールを行うために構成されていることによって、通知が行われるべき人物と適切に連絡を取ることができる。これに対し、通知装置が通知メッセージとしてテキストベースのメッセージを形成して送信するために構成されている場合には、通知はそれほど煩わしく感じられないことが多い。ここではテキストベースのメッセージはＳＭＳメッセージまたはＥメールメッセージである。ＳＭＳメッセージの場合には、移動電話または他の「ＳＭＳ機能を有する」電話を介して即時的にユーザと連絡を取ることができ、これに対してＥメールメッセージを使用する場合には、ユーザまたは他のユーザの別のＥメールアドレスへと通知を行うことができ、この際それと同時に、現行のＥメールプログラムの周知の転送機能のように、着信した完全な応答メッセージを転送する必要はない。ユーザには単に応答メッセージが着信したという事実に関して情報が与えられるだけではなく、応答メッセージに関する十分な情報も与えられることが望ましい場合もある。これに関しては、通知メッセージが応答メッセージの件名および／またはテキストボディの少なくとも一部を包含する場合には有利である。
【００１８】
割り当て手段が送信されるメッセージの送信前、送信中および／または送信後に指示の割り当ておよび／または変更を実施するために構成されている場合には、通知の殊にフレキシブルな処理が行われる。これに関してユーザは如何なる時でも、すなわちメッセージを送信した後でも自身の通知希望の入力、変更または取り消しを行うことができる。メッセージサーバがＥメールサーバまたはユニファイド・メッセージング・システムである場合には殊に有利である。何故ならば、それによりユーザは自身が大抵使用している通信経路に対して通知のための指示を行うことができるからである。
【００１９】
本発明によるメッセージサーバの実施例を以下では図面に基づき説明する。このメッセージサーバの実施例は同時に本発明による方法に関する実施例の説明にも使用される。
【実施例】
【００２０】
ここで唯一の図面は、公共の通信ネットワークにおいて１つのメッセージサーバ、２つのコンピュータおよび通信端末からなる装置を概略図に示している。
【００２１】
図面にはメッセージサーバＮＳが示されており、このメッセージサーバＮＳは電子メッセージＮ，Ａを送信、受信および一時的に記憶するために構成されている。この実施例においてメッセージサーバＮＳは、種々の電子的な媒体の電子メッセージ（ここではＳＭＳ、Ｅメール、テレファックス、音声メッセージ）を処理するために構成されているユニファイド・メッセージング・システムのサーバである。またメッセージサーバＮＳは送信装置ＳＥおよび受信装置ＥＥを有し、これらの装置には種々の種類のメッセージを送受信するための相応のモジュール（図示せず）が設けられている。送信したメッセージのコピーを記憶するため、また受信したメッセージを一時的に記憶するために、メッセージサーバＮＳはさらにデータバンクＤＢ（記憶装置）を有する。ユニファイド・メッセージング環境における慣例のサーバとは異なり、メッセージサーバＮＳは記憶されている（送信した）電子メッセージに通知指示を割り当てるための別のモジュール（ソフトウェアモジュール）、すなわち割り当て手段ＺＭおよび通知装置ＢＥを有する。
【００２２】
メッセージサーバはメッセージおよび他のデータを個々のユーザに対応付けられている通信端末機器と交換するために構成されている。通信端末機器として図面にはコンピュータＡＢ，ＥＭ（「送信側」、「受信側」）、公共の通信ネットワークＩＳＤＮの構成要素である固定網電話ＦＮＴおよび公共の無線ネットワークＧＳＭの移動電話ＭＴが示されている。これらの通信端末機器ＡＢ，ＥＭ，ＦＮＴ，ＭＴは種々の通信端末機器を任意に選択するために例示的に表されたものである。
【００２３】
以下では例示的にメッセージＮ，Ａの送信および受信について説明する。メッセージＮ，Ａは図面において矢印で示されており、矢印の方向はそれぞれのメッセージの有効内容の伝送方向を表す。同様のことが通知メッセージＢＮ１，ＢＮ２，ＢＮ３にも該当する。メッセージＮ，Ａおよび通知メッセージＢＮ１，ＢＮ２，ＢＮ３を送受信するために交換すべきシグナリング要素およびプロトコル要素は、それぞれの伝送媒体における慣例の規格に対応するが、ここでは分かり易くするために詳細には考察しない。
【００２４】
さらにこの実施例の枠内では電子メッセージとしてのＥメールの送信および応答メッセージとしての同種のＥメールの受信について説明することを言及しておく。図示されている装置および既述の方法を用いて他の電子メッセージも同様に処理することができる。つまり殊に図示されているユニファイド・メッセージング・システムを用いてテレファックスメッセージを送受信することができ、これらのテレファックスメッセージはＥメールと同様に管理され、したがって前述の方法を適用することもできる。
【００２５】
コンピュータＡＢのユーザはコンピュータＥＭを有する他のユーザに電子メッセージＮ（Ｅメール）を送信する。このために既に編集された電子メッセージＮがコンピュータＡＢからメッセージサーバＮＳに伝送され、このメッセージサーバＮＳにおいて受信装置ＥＥによって受信され、データバンクＤＢに一時的に記憶される。一時的に記憶された電子メッセージＮは即座にまたは後の時点において、送信装置ＳＥによってコンピュータＥＭに伝送され、このコンピュータＥＭにおいて表示されるか、さらに処理される。勿論、メッセージサーバＮＳとコンピュータＥＭとの間に、電子メッセージＮを「蓄積交換」原則に応じて処理する、さらに別のメッセージサーバＮＳまたは他のサーバおよびネットワークエレメントを配置してもよい。殊に、ユーザがコンピュータＥＭまたは他の通信端末機器を用いて一時的に記憶されている電子メッセージＮの読み出しを指示するまで、電子メッセージＮをメッセージサーバＮＳまたは別のサーバに一時的に記憶することができる。
【００２６】
コンピュータＡＢのユーザは電子メッセージの送信のために通信プログラム、いわゆるＥメールプログラムを使用する。このＥメールプログラムには標準機能以外に指示を入力するための入力手段が設けられている。ここで説明する最も簡単なケースにおいては、この入力手段がグラフィック表示される欄から構成され、送信された電子メッセージＮに対する応答メッセージがメッセージサーバＮＳに到着した場合にコンピュータＡＢないしＥメールプログラムのユーザが通知を所望する場合に対してこの欄をアクティブにすることができる（クリックすることができる）。さらにＥメールプログラムは、例えば通知のための通知メッセージＢＮ１，ＢＮ２，ＢＮ３が送信されるべき通信アドレスを入力するために、ユーザが指示を詳細に規定することができる入力手段を包含する。このユーザ固有のセッティングを、相応の指示が与えられている送信された全ての電子メッセージＮに対して包括的に有効にすることができるが、この実施例の場合のように、各電子メッセージＮに対して個別的に指示することもできる。
【００２７】
通知のための相応の指示が既に電子メッセージＮの作成の際に入力される場合、この指示は電子メッセージＮと共にコンピュータＡＢからメッセージサーバＮＳに伝送され、このメッセージサーバＮにおいて割り当て手段ＺＭに伝送される。しかしながら、相応の指示を事後的に、既に送信されておりデータバンクに一時的に記憶されている（アーカイブされている）電子メッセージＮに割り当てることも可能である。既に割り当てられた指示を割り当て手段ＺＭ、またデータバンクＤＢへの相応のアクセスによって事後的に変更または取り消すことも同様に可能である。送信された電子メッセージＮは「コピー」として、前述のように、データバンクＤＢにアーカイブされる。これに関して各電子メッセージＮは別個に記憶されている一連のデータフィールドから構成されており、このデータフィールドには送信側アドレス、受信側アドレス（ここでは：Ｎ）、件に関するデータフィールド（「件名」）、電子メッセージＮのテキストボディまた必要に応じて電子的な添付ファイル（「添付」）が属する。通知を目的として各電子メッセージＮと共に少なくとも１つの別のデータフィールド、すなわちいわゆる「フラグ」が記憶され、このデータフィールドはアクティブにされた際に（フィールド内容：論理的に「１」）相応の指示が存在することを表す。別の付加的なデータフィールドは通知目標としての１つまたは複数の通信アドレスに関連し、また必要に応じて別の指示、例えば通知媒体に関する指示（通話、ＳＭＳメッセージなど）に関連する。これら全ての付加的なデータフィールドは割り当て手段ＺＭによって指示に応じて管理される。
【００２８】
通知装置ＢＥは検査装置（図示せず）を包含する。この検査装置は、データバンクＤＢ内に少なくとも１つの送信された電子メッセージＮに通知のための指示が与えられている場合には、着信する全ての電子メッセージの着信チェックを少なくとも実施する。以下ではこれに関してコンピュータＥＭからメッセージサーバＮＳに送信される電子メッセージＡを考察する。通知装置ＢＥは、電子メッセージＡが、相応の指示が与えられており且つコピーの形でデータバンクＤＢに記憶されている電子メッセージＮに対する応答メッセージであるか否かを検査する。
【００２９】
検査のために種々の状況を個別にまたは相互に組み合わせて評価することができ、この際に最も簡単なケースにおいては唯一の一致で検査の結果を肯定とすることができる。しかしながら確実な識別を保証するために、この実施例においては複数の判定基準が検査され、肯定的な検査結果として解釈するためにはこれらの判定基準が複数満たされていなければならない。このために、ここでは受信した電子メッセージＡの個々のデータフィールドが記憶されている電子メッセージＮの個々のデータフィールドと比較される。各比較により例えば０〜１００のパーセンテージで表すことができる一致の度合いが表される。個々の検査ステップにおいて得られるパーセンテージは重み付けされ加算され、この際に限界値（例えば２００）を上回ると検査の結果が肯定的なものとして評価され、したがって電子メッセージＮの送信側への通知が通知装置ＢＥによってトリガされる。
【００３０】
このケースにおいては通知装置ＢＥが先ず、電子メッセージＡの送信側は電子メッセージＮの受信側のうちの１つであるかを検査する。このことはＥメールメッセージの例においてはＥメールアドレスに基づき行われ、テレファックスメッセージにおいては例えばテレファックス番号が評価される。さらにＥメールメッセージにおいては、電子メッセージＮ，Ａの件名がその都度相互に比較されるが、通常の場合応答メッセージは、確かに受信した電子メッセージＮの件名に対応するが、例えば「Ｒｅ」（「応答」）のような相応の注が先頭に付されている件名を有することが多いので相互に完全に一致することはない。したがってここではそれぞれの件名の関連的で「特徴的な」文字列の所定の部分が一致する場合には、一致しているものとみなす。例えば、メッセージ「Ｈａｌｌｏ」に対する応答メッセージは「Ｒｅ：Ｈａｌｌｏ」となることが多く、このことは特徴部分の１００％の一致として評価される。択一的に、それぞれの件名の関連的な文字列の所定数（例えば２０）、すなわち事前に定義された絶対値が一致することも考えられる。同様に本方法は、応答メッセージにおいてはＥメールメッセージの場合にはオリジナルのメッセージのテキストボディが「引用」の形で応答のテキストボディに付随しているということを利用できる。この場合にはテキストボディを比較するために、比較の前に応答メッセージのテキストボディから必要に応じて引用符号（例えばスペースを有する左開きの括弧）が先ず除去される。
【００３１】
さらには電子メッセージに一義的な識別番号が設けられていることが多く、この識別番号は通常の場合、送信を行うメッセージサーバＮＳによっていわゆる「ヘッダ」（しばしばインターネットヘッダとも称される）に挿入される。これらの識別番号が応答をなす際に応答メッセージに引き継がれる場合には、この識別番号は検査にとっては非常に良好な判定基準である。
【００３２】
前述の「ランキング」によって、電子メッセージＡが実際に電子メッセージＮに対する応答メッセージであることが確認されたので、その結果通知装置ＢＥは送信装置ＳＥを用いて指示通りの通知を準備する。電子メッセージＮを送信したユーザは、通知のためにＳＭＳを移動電話ＭＴに送信すべきことを規定しており、このために使用されるＳＭＳメッセージ、すなわち通知メッセージＢＮ２は応答メッセージＮの件名の最初の４０文字また「応答メッセージ到着！」のような指示を包含すべきである。択一的に、勿論他の電子的なリアルタイムメッセージを用いて、すなわちいわゆる「ユーザ・アウトコール」、つまり電子的になされるテレフォンコール（通知メッセージＢＮ３）を用いて固定網電話ＦＮＴに対して通知を行うことができる。これに対して通知メッセージＢＮ１はＥメールメッセージであり、このＥメールメッセージはユーザの他のＥメールアドレス、例えばプライベートアドレスに送信される。このことは一方では即時的な通知と、他方では余り煩わしくない通知のとの間の折衷策を表す。
【００３３】
指示は、一日の間の異なる時刻におけるユーザとの種々の連絡可能性を考慮する、時間に関連する判定基準も包含することができ、その結果時刻／曜日に応じて通知メッセージＢＮ１，ＢＮ２，ＢＮ３のいずれかが送信される。
【図面の簡単な説明】
【００３４】
【図１】公共の通信ネットワークにおいて１つのメッセージサーバ、２つのコンピュータおよび通信端末からなる装置の概略図。
【図１】
2007228591.tif 000003